(57)【要約】      （修正有）【課題】吸水ポンプ等の動力や電源を全く使用することなく簡単な操作で、かつ手軽に水槽や浴槽等の貯槽の液面又は液中に浮遊する湯垢や人毛やゴミ等の浮遊物を簡易に捕集できるとともにその捕集した浮遊物が簡易な機構にて浄化後の液面又は液中側に戻ることが無く確実に捕集できる浮遊物除去器具を提供する。【解決手段】浮遊物除去器具１は、液面又は液中の浮遊物を捕集する開口部２ａを備えた容器２と、容器２の底面開口部に設けた開閉自在な二つ割り逆止弁３と、容器２の下部外周面に着脱自在に装着可能な濾過フィルター４とを備えている。【選択図】図１
2010051389.tif 000002
【特許請求の範囲】
【請求項１】
液面又は液中の浮遊物を捕集する開口部を備えた容器と、該容器の底面開口部に設けた開閉自在な二つ割り逆止弁と、該容器の下部外周面に着脱自在に装着可能な濾過フィルターとを備えていることを特徴とする浮遊物除去器具。
【請求項２】
開口部を備えた容器の形状が平面略矩形の場合、該容器の底面開口部の形状が略矩形でその底面開口部の縁に形成した長辺側の桟に取付けた二つ割り逆止弁が底面開口部を開口又は封口可能に形成し、二つ割り逆止弁のうち底面開口部の中央部を縦断する長辺側端部及び短辺側両端部のそれぞれをフリーに形成しかつ該二つ割り逆止弁のうちフリーに形成した長辺側端部を底面開口部の中央部を縦断するように設置した縦断当り部材に当接また離反可能に形成するとともに前記二つ割り逆止弁のフリーに形成した短辺側を前記縦断当り部材と平面交叉する底面開口部の縁に形成した短辺側の桟及び縦断当り部材の中央部で平面交叉する横断当り部材に当接又は離反する構成としたことを特徴とする請求項１記載の浮遊物除去器具。
【請求項３】
二つ割り逆止弁の素材が液の逆流を阻止し得る強度を備えたブラスチックフィルム、プラスチックシート、バルカナイズドファイバー或いはこれらの素材と同等以上の強度を有する素材であることを特徴とする請求項１又は２記載の浮遊物除去器具。
【請求項４】
液面又は液中の浮遊物を捕集する開口部を備えた容器の側面に、本器具が浮遊物を捕集することができる位置に固定するための吸盤を設けたことを特徴とする請求項１、２又は３記載の浮遊物除去器具。
【請求項５】
濾過フィルターが再利用可能で、湯垢や人毛やゴミ等の浮遊物を捕集可能なメッシュ構造のフィルターであることを特徴とする請求項１、２、３又は４記載の浮遊物除去器具。  
【発明の詳細な説明】
【技術分野】
【０００１】
本発明は水槽や浴槽等の貯槽の液面又は液中に浮遊する湯垢や人毛やゴミ等の浮遊物を簡易かつ確実に捕集できる浮遊物除去器具に関する。
【背景技術】
【０００２】
従来のこの種の浮上式風呂の浄水器として、吸水口と、フィルターと吸水ポンプを有する通水路と、排水口とを直列に、風呂の浴面に沿って設け、吸水口付近の浄水器形状を風呂桶のコーナー部に合わせた形状としたものがある(特許文献1参照)。
【０００３】
【特許文献１】特開平１１−１５１１７４号公報
【発明の開示】
【発明が解決しようとする課題】
【０００４】
上記従来の発明は、吸水口と排水口を風呂の浴面に沿って設け、風呂桶のコーナー部に吸水口をしっかりと固定できるので、浮遊した湯垢や人毛やゴミがある浴面の水流を、風呂の浴面全体に起こし、浴面全体に浮遊する湯垢や体毛やゴミを沈澱しないうちに早急に、効率よく補集できるという利点を有する反面、吸水ポンプを駆動するモーターとそのモーターを駆動する電源である電池が必要であるために、浄水器全体がコスト高である上に、吸水ポンプの故障、トラブルの発生あるいは電池の交換作業が常に要求され、使用中に電池切れとなった場合には浄水機能の役割を全く果たさないという難点があった。
【０００５】
本発明は、上記の点に鑑みなされたもので、吸水ポンプ等の動力や電源を全く使用することなく簡単な操作で、かつ手軽に水槽や浴槽等の貯槽の液面又は液中に浮遊する湯垢や人毛やゴミ等の浮遊物を簡易に捕集できるとともにその捕集した浮遊物が簡易な機構にて浄化後の液面又は液中側に戻ることが無く確実に捕集できる浮遊物除去器具を提供することを目的とする。
【課題を解決するための手段】
【０００６】
本発明に係る浮遊物除去器具は、液面又は液中の浮遊物を捕集する開口部を備えた容器と、該容器の底面開口部に設けた開閉自在な二つ割り逆止弁と、該容器の下部外周面に着脱自在に装着可能な濾過フィルターとを備えていることを特徴とする。
【０００７】
本発明に係る浮遊物除去器具は、開口部を備えた容器の形状が平面略矩形の場合、該容器の底面開口部の形状が略矩形でその底面開口部の縁に形成した長辺側の桟に取付けた二つ割り逆止弁が底面開口部を開口又は封口可能に形成し、二つ割り逆止弁のうち底面開口部の中央部を縦断する長辺側端部及び短辺側両端部のそれぞれをフリーに形成しかつ該二つ割り逆止弁のうちフリーに形成した長辺側端部を底面開口部の中央部を縦断するように設置した縦断当り部材に当接また離反可能に形成するとともに前記二つ割り逆止弁のフリーに形成した短辺側を前記縦断当り部材と平面交叉する底面開口部の縁に形成した短辺側の桟及び縦断当り部材の中央部で平面交叉する横断当り部材に当接又は離反する構成としたことを特徴とする。
【０００８】
本発明に係る浮遊物除去器具は、二つ割り逆止弁の素材が液の逆流を阻止し得る強度を備えたプラスチックフィルム、プラスチックシート、バルカナイズドファイバー或いはこれらの素材と同等以上の強度を有する素材であることを特徴とする。
【０００９】
本発明に係る浮遊物除去器具は、液面又は液中の浮遊物を捕集する開口部を備えた容器の側面に、本器具が浮遊物を捕集することができる位置に固定するための吸盤を設けたことを特徴とする。
【００１０】
本発明に係る浮遊物除去器具は、濾過フィルターが再利用可能で、湯垢や人毛やゴミ等の浮遊物を捕集可能なメッシュ構造のフィルターであることを特徴とする。  
【発明の効果】
【００１１】
本発明は本器具を浴槽等の貯槽の液中に容器の開口部の一部又は大部分が浸かるように取付けるか又は液中に完全に浸かるように設置することにより、浴槽等の貯槽の液が開口部に流れ込むように手などを使用して液を開口部に流入させると液面又は液中に浮遊する髪の毛や、湯垢、ゴミなどの浮遊物が二つ割り逆止弁を通過して濾過フィルターで簡単に浮遊物を捕集することができ、濾過フィルターに捕集された浮遊物は二つ割り逆止弁により容器の底面開口部側及び開口部側への移動が阻止されるので、従来のようにポンプなどの動力や電池等を使うことなく簡便な構造にて迅速かつ確実に浮遊物の捕集ができる。
【００１２】
特に、浴槽の液面等に浮遊する浮遊物を捕集する場合には、浴槽の内壁面に開口部がお湯に浸かるようにして手や足で浴槽のお湯を楽しみながら掻き回し、浮遊物の捕集が濾過フィルターで簡単にでき、濾過フィルターに捕集された浮遊物がお湯の逆流を受けても濾過フィルターから離反した浮遊物は二つ割り逆止弁で完全に阻止されるために捕集された浮遊物が綺麗になったお湯側に再び戻ることは無く、効率良く安心して浮遊物を捕集できる。
【発明を実施するための最良の形態】
【００１３】
以下、本発明の一実施例を図面に基づいて説明する。
１は本発明に係る浮遊物除去器具(以下、本器具という)である。  本器具１は液面又は液中に浮遊する浮遊物を捕集する開口部２ａ(容器の上側開口部)を備えた容器２と、容器２の底面開口部２ｂ(容器の下側開口部)に設けた開閉自在な二つ割り逆止弁３と、容器２の下部外側に着脱自在に装着可能な濾過フィルター４とを備えている。
【００１４】
開口部２ａを備えた容器２の形状は、本例では例えば幅９ｃｍ×長さ２８．５ｃｍ×高さ８ｃｍの容器の場合を示したが、必ずしも上記形状に限定されるものではなく、平面円形、平面楕円形等の各種立体形状の容器であっても良い。容器２の形状は、液面及び又は液中の浮遊物を効率的に捕集できる形状の容器であればよい。
【００１５】
容器２は上面が開口しているとともに容器２の底面も開口していることが必要である。容器２の底面開口部２ｂにはその底面開口部２ｂに流れる液が順方向又は逆方向の流れに応じて開閉可能な二つ割り逆止弁３が設けられている。例えば、底面開口部２ｂの形状が平面略長方形状である場合には、その平面略長方形状を被覆し得る大きさのプラスチック、バルカナイズドファイバー、その他の素材からなるシート又はフィルムの中央部を縦長に裁断し、二つ割りシート又はフィルムで構成される二つ割り逆止弁３の長手方向のうち中央部に対して反対側に位置する長辺側基部を底面開口部２ｂの長辺側の縁に形成した長辺側の桟２ｃに固定する。二つ割りシート又はフィルムの中央部に位置する長辺側端部及び短辺側端部はそれぞれフリーに形成する。すなわち、二つ割り逆止弁３を二つ割りシート又はフィルムで構成した場合、シート又はフィルムは流体の応力に対し反ることはあっても本来の形状を維持できる強度が必要であり、流体の強さによって素材が反るなどの変形がされても復元性が良好である素材が望ましく、かつ液体に対し素材が伸縮しないものが好ましい。素材の伸縮が大きくかつ復元性がなく本来の形状を維持できない素材は、本器具においては二つ割り逆止弁としての機能を十分に発揮し得ない。
【００１６】
二つ割りシート又はフィルムで短冊状に構成される二つ割り逆止弁３のうち、フリーに形成した中央部に位置する長辺側端部は、底面開口部２ｂの長辺側中央部を縦断するように設置した縦断当り部材５に当接また離反する構成となっている。底面開口部２ｂの短辺側の縁に形成した短辺側の桟２ｄ、２ｄ及び縦断当り部材５の中央部位に形成した横断当り部材６の表面は縦断当り部材５の表面と平面交叉している。二つ割り逆止弁３のうちフリーに形成した短辺側及び中央は底面開口部２ｂの短辺側の桟２ｄ、２ｄ及び中央に形成した横断当り部材６に当接又は離反する構成とする。
【００１７】
本例では図示していないが、容器２の形状が平面円形で全体が筒型形状である場合は、開口部２ａ及び底面開口部２ｂ共に平面円形であるために、底面開口部２ｂに設置される二つ割り逆止弁３は円形の開口部を直径相当部位で二つ割りに形成した半円形状に形成され、その半円形状をした二つ割りシート又はフィルムを底面開口部２ｂの縁に形成した円弧状当り部材(図示せず) の９０度部位に固定する。フリーに形成したシート又はフィルムの直径相当部位は底面開口部２ｂの直径相当部位に形成した縦断当り部材５に当接また離反し、９０度部位に固定した箇所以外のフリーに形成したシート又はフィルムの周縁は円弧状当り部材(図示せず)に当接また離反する構成となっている。また、容器２の形状が平面楕円形で全体が筒型形状である場合についても、前記容器２の形状が平面円形で全体が筒型形状である場合と略同様の構成となる。
【００１８】
本器具は、二つ割り逆止弁３の素材が液の逆流を阻止し得る強度を備えたプラスチックフィルム、プラスチックシート、バルカナイズドファイバー或いはこれらの素材と同等以上の強度を有する素材を採用する。
【００１９】
本器具は、液面又は液中の浮遊物を捕集する開口部２ａを備えた容器２の外側の側面に、本器具が浮遊物を捕集することができる位置に固定するための吸盤６を設ける。
【００２０】
本器具は、濾過フィルター４が再利用可能で、湯垢や人毛やゴミ等の浮遊物を捕集可能なメッシュ構造で液体は通過する構成のフィルターであることを特徴とする。  
【００２１】
本器具の使用方法は次のとおりである。
第１の使用例は図７(ａ)、(ｂ)、(ｃ)に示すように、浴槽の長辺内側側面の水中位置に本器具を吸盤７にて開口部が縦長の垂直方向となるように固定した場合を示す概略説明図である。人が浴槽に入った状態で浴槽の右側側面に本器具を取付け、矢印で示す方向にお湯が流れ、開口部２ａを通り、二つ割り逆止弁３が中央で左右に開口し、濾過フィルター４で湯垢や人毛やゴミ等の浮遊物を捕集する。濾過フィルター４に捕集された浮遊物を含むお湯が流れ方向と逆の方向に流れる場合には、二つ割り逆止弁３の中央部が縦断当り部材５に当接するとともに中央部位の横断当り部材６にも当接し、かつ二つ割り逆止弁３の短辺側の両端部が容器２下部に位置する底面開口部２ｂの短辺側の桟２ｄ、２ｄに当接することとなり、お湯の逆流が二つ割り逆止弁３で阻止される。また、お湯の逆流に対しても二つ割り逆止弁３が縦断当り部材５、横断当り部材６及び桟２ｄ、２ｄに当接することにより、薄いシートであるにも拘らず、逆止弁３自体が変形することなくお湯の逆流を阻止できる結果、浮遊物を除去したお湯側に流出することがない。
【００２２】
第２の使用例は図８(ａ)、(ｂ)、(ｃ)に示すように、浴槽の角部から少し離れた短辺内側側面の一部水面から出て、残りの大部分が水中に没するような位置に本器具を吸盤７にて開口部が縦長の垂直方向となるように固定した場合を示す概略説明図である。浮遊物の捕集方法は第１の使用例と同様である。
【００２３】
第３の使用例は図９(ａ)、(ｂ)、(ｃ)に示すように、浴槽の角部から少し離れた長辺内側側面の一部水面から出て、残りの大部分が水中に没するような位置に本器具を吸盤７にて開口部２が縦長の垂直方向となるように固定した場合を示す概略説明図である。浮遊物の捕集方法は第１の使用例と同様である。
【００２４】
第４の使用例は図１０(ａ)、(ｂ)、(ｃ)に示すように、浴槽に入っている人が両脚の間の上方位置において両手で本器具を保持し、浴槽の水面から開口部が没するようにした状態で保持され、お湯が浴槽の長手方向の両側から流入し、中央に位置する本器具の開口部をめがけて流入する場合を示す概略説明図である。浮遊物の捕集方法は第１の使用例と同様である。
【００２５】
第５の使用例は図１１(ａ)、(ｂ)、(ｃ)に示すように、浴槽に入っている人が両足の間の上方位置において浴槽の短辺方向の内側側面に本器具が吸盤７を介して保持され、本器具の開口部２が浴槽の底面(真下)に向けて保持され、水面から本器具が水中に没するように保持され、お湯が浴槽の底面から真上に向けて上昇するように流入する場合を示す概略説明図である。浮遊物の捕集方法は第１の使用例と同様である。    
【図面の簡単な説明】
【００２６】
【図１】本発明の一実施例を示す断面図である。
【図２】本発明の一実施例を示す濾過フィルター装着前の正面断面図である。
【図３】本発明の一実施例を示す濾過フィルター装着前の側面断面図である。
【図４】本発明の一実施例を示す濾過フィルター装着前の底面側から見た平面図である。
【図５】本発明の一実施例を示す濾過フィルター装着前の底面開口部側から見た平面図である。
【図６】本発明の一実施例を示す正面図である。
【図７】本発明の一実施例を示し、お湯が容器の開口部から底面開口部に向けて流入し、二つ割り逆止弁が開放した状態を示す断面図である。
【図８】(ａ)、(ｂ)、(ｃ)は本発明の使用状態を示す説明図である。
【図９】(ａ)、(ｂ)、(ｃ)は本発明の他の使用状態を示す説明図である。
【図１０】(ａ)、(ｂ)、(ｃ)は本発明の他の使用状態を示す説明図である。
【図１１】(ａ)、(ｂ)、(ｃ)は本発明の他の使用状態を示す説明図である。
【図１２】(ａ)、(ｂ)、(ｃ)は本発明の他の使用状態を示す説明図である。
【符号の説明】
【００２７】
１    浮遊物除去器具
２    容器
２ａ  開口部
２ｂ  底面開口部
２ｃ  長辺側の桟
２ｄ  短辺側の桟
３    二つ割り逆止弁
４    濾過フィルター
５    縦断当り部材
６    横断当り部材
７    吸盤    
【図１】
2010051389.tif 000003
【図２】
2010051389.tif 000004
【図３】
2010051389.tif 000005
【図４】
2010051389.tif 000006
【図５】
2010051389.tif 000007
【図６】
2010051389.tif 000008
【図７】
2010051389.tif 000009
【図８】
2010051389.tif 000010
【図９】
2010051389.tif 000011
【図１０】
2010051389.tif 000012
【図１１】
2010051389.tif 000013
【図１２】
2010051389.tif 000014